(57)【要約】【課題】両端が第１軸と第２軸に巻回されるフィルタを備えるものでは、第１軸のフィルタ巻回径と、第２軸のフィルタ巻回径とが異なる場合、フィルタの所定時間あたりの送り出し量と巻き取り量との間にズレが生じる。【解決手段】フィルタ３の巻き取り動作時に、軸（第２軸）１４に巻き取られるフィルタ３の所定時間あたりの長さと、軸（第１軸）１３から送り出されるフィルタ３の所定時間あたりの長さとのズレを補正するために、軸１４の径が軸１３の径よりも大きくされる。【選択図】図２
2016125708.tif 000002
【特許請求の範囲】
【請求項１】
吸込口を有するケーシングと、
前記吸込口に対向するように配置され、その両端が第１軸と第２軸のそれぞれに巻回されるフィルタと、
前記第１軸および前記第２軸をそれぞれ回転駆動する第１駆動モータおよび第２駆動モータと、
前記第１軸から前記第２軸に向かって移動する前記フィルタから塵埃を除去する塵埃除去手段と、
前記フィルタの巻き取り動作時に、前記第２軸に巻き取られるフィルタの所定時間あたりの長さと、前記第１軸から送り出されるフィルタの所定時間あたりの長さとのズレを補正するズレ補正機構とを備えることを特徴とする空気調和機。
【請求項２】
前記ズレ補正機構は、
前記第１軸、および、前記第１軸よりも径が大きい前記第２軸であることを特徴とする請求項１に記載の空気調和機。
【請求項３】
前記フィルタの巻き取り動作開始時において、前記第２軸のフィルタ巻回径が、前記第１軸のフィルタ巻回径と同一またはそれより大きいことを特徴とする請求項２に記載の空気調和機。
【請求項４】
前記ズレ補正機構は、
前記第１軸と前記第１駆動モータとの間、および、前記第２軸と前記第２駆動モータとの間の一方に配置され、
前記第２軸に巻き取られるフィルタの所定時間あたりの長さが、前記第１軸から送り出されるフィルタの所定時間あたりの長さよりも大きい場合に、前記第１軸および第２軸の一方を空回りさせるクラッチ機構であることを特徴とする請求項１−３のいずれかに記載の空気調和機。
【請求項５】
前記第２軸から前記フィルタを送り出し、前記第１軸が前記フィルタを巻き取る逆方向への巻き取り動作が可能であり、
前記第１軸と前記第１駆動モータとの間、および前記第２軸と前記第２駆動モータとの間の他方に配置され、
逆方向への巻き取り動作時において、前記第１軸に巻き取られるフィルタの所定時間あたりの長さが、前記第２軸から送り出されるフィルタの所定時間あたりの長さよりも大きい場合に、前記第１軸および前記第２軸の他方を空回りさせる第２のクラッチ機構を有することを特徴とする請求項４に記載の空気調和機。
【発明の詳細な説明】
【技術分野】
【０００１】
本発明は、フィルタ清掃機構を備える空気調和機に関する。
【背景技術】
【０００２】
従来から、吸込口から吸い込んだ室内空気に含まれる塵埃が熱交換器へと流れないように、熱交換器よりも風上側にフィルタが配置された空気調和機（室内機）が知られている。特に、近年では、フィルタに付着した塵埃を自動的に除去するフィルタ清掃機構を備えた空気調和機が提供されている。例えば、特許文献１に記載されている空気調和機では、フィルタに接触するように除塵部材が配置されており、除塵部材がフィルタに接触した状態でフィルタが移動することで、フィルタから塵埃が除去される。特許文献１に記載のフィルタ装置は、上部に配置されたフィルタ６Ａの繰出し／巻取り用の軸６Ｂと、下部に配置されたフィルタ６Ａの繰出し／巻取り用の軸６Ｃと、上部の軸６Ｂと下部の軸６Ｃに巻回固定された帯状のフィルタ６Ａと、上部の軸６Ｂに接続する繰出し／巻取り駆動用のモータ１１と、下部の軸６Ｃに接続する繰出し／巻取り駆動用のモータ１１と、下部の軸６Ｃの近傍に設けられたフィルタの除塵部材８とを有している。
【先行技術文献】
【特許文献】
【０００３】
【特許文献１】特開２００１−９９４７９号公報
【発明の概要】
【発明が解決しようとする課題】
【０００４】
特許文献１に記載のフィルタ装置では、上部に配置された軸６Ｂと下部に配置された軸６Ｃとが、それぞれ異なるモータによって駆動されるが、上部に配置された軸６Ｂのフィルタ巻回径と、下部に配置された軸６Ｃのフィルタ巻回径とが異なる場合、フィルタの所定時間あたりの送り出し量と、フィルタの所定時間あたりの巻き取り量との間にズレが生じる問題がある。その結果、例えば、フィルタの所定時間あたりの送り出し量が巻き取り量よりも大きい場合には、フィルタが弛み、フィルタの所定時間あたりの送り出し量が巻き取り量よりも小さい場合には、フィルタがつっぱる問題がある。
【０００５】
そこで、本発明の目的は、フィルタの所定時間あたりの送り出し量と、フィルタの所定時間あたりの巻き取り量とのズレを補正できる空気調和機を提供することである。
【課題を解決するための手段】
【０００６】
第１の発明にかかる空気調和機は、吸込口を有するケーシングと、前記吸込口に対向するように配置され、その両端が第１軸と第２軸のそれぞれに巻回されるフィルタと、前記第１軸および前記第２軸をそれぞれ回転駆動する第１駆動モータおよび第２駆動モータと、前記第１軸から前記第２軸に向かって移動する前記フィルタから塵埃を除去する塵埃除去手段と、前記フィルタの巻き取り動作時に、前記第２軸に巻き取られるフィルタの所定時間あたりの長さと、前記第１軸から送り出されるフィルタの所定時間あたりの長さとのズレを補正するズレ補正機構とを備えることを特徴とする。
【０００７】
この空気調和機では、第１軸から送り出されるフィルタの所定時間あたりの送り出し量と、第２軸で巻き取られるフィルタの所定時間あたりの巻き取り量とのズレを補正するズレ補正機構を有するので、フィルタの巻き取り動作時において、フィルタの所定時間あたりの送り出し量と、フィルタの所定時間あたりの巻き取り量とのズレを補正できる。
【０００８】
第２の発明にかかる空気調和機は、第１の発明にかかる空気調和機において、前記ズレ補正機構は、前記第１軸、および、前記第１軸よりも径が大きい前記第２軸であることを特徴とする。
【０００９】
第１軸と第２軸の径が同じである場合、フィルタの巻き取り動作開始時において、第１軸のフィルタ巻回径が、第２軸のフィルタ巻回径よりも大きいので、フィルタの所定時間あたりの送り出し量が、フィルタの所定時間あたりの巻き取り量よりも大きくなって、フィルタが弛む。この点、この空気調和機では、第２軸の径が、第１軸の径よりも大きいので、第１軸と第２軸の径が同じである場合に比べて、フィルタの巻き取り動作開始時に、フィルタが弛むのを抑制できる。
【００１０】
第３の発明にかかる空気調和機は、第２の発明にかかる空気調和機において、前記フィルタの巻き取り動作開始時において、前記第２軸のフィルタ巻回径が、前記第１軸のフィルタ巻回径と同一またはそれより大きいことを特徴とする。
【００１１】
この空気調和機では、フィルタの巻き取り動作開始時において、第２軸のフィルタ巻回径が、第１軸のフィルタ巻回径と同一またはそれより大きいので、フィルタの巻き取り動作開始時に、フィルタが弛むのを確実に防止できる。
【００１２】
第４の発明にかかる空気調和機は、第１−第３のいずれかの発明にかかる空気調和機において、前記ズレ補正機構は、前記第１軸と前記第１駆動モータとの間、および、前記第２軸と前記第２駆動モータとの間の一方に配置され、前記第２軸に巻き取られるフィルタの所定時間あたりの長さが、前記第１軸から送り出されるフィルタの所定時間あたりの長さよりも大きい場合に、前記第１軸および第２軸の一方を空回りさせるクラッチ機構であることを特徴とする。
【００１３】
第２軸のフィルタ巻回径が第１軸のフィルタ巻回径よりも大きい場合、フィルタの所定時間あたりの巻き取り量が、フィルタの所定時間あたりの送り出し量よりも大きくなって、フィルタがつっぱる。この点、この空気調和機では、フィルタの所定時間あたりの巻き取り量が、フィルタの所定時間あたりの送り出し量よりも大きい場合に、クラッチ機構が第１軸または第２軸を空回りさせるので、フィルタの所定時間あたりの送り出し量が、フィルタの所定時間あたりの巻き取り量と一致する速度で第１軸及び第２軸が回転する。したがって、フィルタがつっぱるのを防止できる。
【００１４】
第５の発明にかかる空気調和機は、第４の発明にかかる空気調和機において、前記第２軸から前記フィルタを送り出し、前記第１軸が前記フィルタを巻き取る逆方向への巻き取り動作が可能であり、前記第１軸と前記第１駆動モータとの間、および前記第２軸と前記第２駆動モータとの間の他方に配置され、逆方向への巻き取り動作時において、前記第１軸に巻き取られるフィルタの所定時間あたりの長さが、前記第２軸から送り出されるフィルタの所定時間あたりの長さよりも大きい場合に、前記第１軸および前記第２軸の他方を空回りさせる第２のクラッチ機構を有することを特徴とする。
【００１５】
この空気調和機では、第２軸からフィルタを送り出し、第１軸がフィルタを巻き取る逆方向への巻き取り動作が行われる場合において、第２軸から送り出されるフィルタの所定時間あたりの送り出し量が、第１軸で巻き取られるフィルタの所定時間あたりの巻き取り量よりも大きい場合に、第２のクラッチ機構が第２軸または第１軸を空回りさせるので、フィルタの所定時間あたりの送り出し量が、フィルタの所定時間あたりの巻き取り量に一致する速度で第２軸及び第１軸が回転する。したがって、フィルタがつっぱるのを防止できる。
【発明の効果】
【００１６】
以上の説明に述べたように、本発明によれば、以下の効果が得られる。
【００１７】
第１の発明では、第１軸から送り出されるフィルタの所定時間あたりの送り出し量と、第２軸で巻き取られるフィルタの所定時間あたりの巻き取り量とのズレを補正するズレ補正機構を有するので、フィルタの巻き取り動作時において、フィルタの所定時間あたりの送り出し量と、フィルタの所定時間あたりの巻き取り量とのズレを補正できる。
【００１８】
第２の発明では、第２軸の径が、第１軸の径よりも大きいので、第１軸と第２軸の径が同じである場合に比べて、フィルタの巻き取り動作開始時に、フィルタが弛むのを抑制できる。
【００１９】
第３の発明では、フィルタの巻き取り動作開始時において、第２軸のフィルタ巻回径が、第１軸のフィルタ巻回径と同一またはそれより大きいので、フィルタの巻き取り動作開始時に、フィルタが弛むのを確実に防止できる。
【００２０】
第４の発明では、フィルタの所定時間あたりの巻き取り量が、フィルタの所定時間あたりの送り出し量よりも大きい場合に、クラッチ機構が第１軸または第２軸を空回りさせるので、フィルタの所定時間あたりの送り出し量が、フィルタの所定時間あたりの巻き取り量と一致する速度で第１軸及び第２軸が回転する。したがって、フィルタがつっぱるのを防止できる。
【００２１】
第５の発明では、第２軸からフィルタを送り出し、第１軸がフィルタを巻き取る逆方向への巻き取り動作が行われる場合において、第２軸から送り出されるフィルタの所定時間あたりの送り出し量が、第１軸で巻き取られるフィルタの所定時間あたりの巻き取り量よりも大きい場合に、第２のクラッチ機構が第２軸または第１軸を空回りさせるので、フィルタの所定時間あたりの送り出し量が、フィルタの所定時間あたりの巻き取り量に一致する速度で第２軸及び第１軸が回転する。したがって、フィルタがつっぱるのを防止できる。
【図面の簡単な説明】
【００２２】
【図１】本発明の実施形態にかかる空気調和機の外観図である。
【図２】図１に示す空気調和機の断面図である。
【図３】（ａ）は、フィルタの巻き取り動作開始時におけるフィルタ、第１軸及び第２軸の模式図であり、（ｂ）は、フィルタの巻き取り動作終了時におけるフィルタ、第１軸及び第２軸の模式図である。
【図４】クラッチ機構および第２のクラッチ機構を説明するための模式図である。
【発明を実施するための形態】
【００２３】
以下、図面を参照しつつ、本発明の実施形態に係る空気調和機について説明する。
【００２４】
［室内機の全体構成］
図１に示すように、室内機（空気調和機）１は、全体として一方向に細長い形状を有しており、その長手方向が水平となるように室内の壁面に据え付けられる。室内機１は、図示しない室外機と冷媒配管を介して接続されて空気調和機を構成しており、室内の冷房運転及び暖房運転を含む空調運転に加えて、フィルタを自動で清掃するフィルタ清掃運転を行うことができる。なお、以下の説明において、室内機１が取り付けられる壁から突出する方向を「前方」と称し、その反対の方向を「後方」と称する。また、室内機１の長手方向を「左右方向」と称する。
【００２５】
図２に示すように、室内機１は、ケーシング２、フィルタ３、送風ファン４、熱交換器５、フィルタ清掃機構１０および電装品箱（図示省略）などを有している。フィルタ３、送風ファン４、熱交換器５、フィルタ清掃機構１０および電装品箱は、ケーシング２の内部に収容されている。
【００２６】
ケーシング２の上面には吸込口２ａが形成されており、ケーシング２の下面には吹出口２ｂが形成されている。吹出口２ｂの近傍には、上下方向の風向きの調整と、吹出口２ｂの開閉を行う水平フラップ７が配置されている。また、ケーシング２の前面は、前面パネル６によって覆われている。この前面パネル６は、上端側を支点にして、下端側がケーシング２に対して離れるように回動することによって、ケーシング２の前面を開く。
【００２７】
フィルタ３は、樹脂製の糸で平織り又は綾織りされた網であり、吸込口２ａに対向するとともに熱交換器５を覆うように配置されている。このフィルタ３は、一般のフィルタにみられるような補強用の縁やリブが設けられていないため、自身で安定した形状を維持することができない。このため、フィルタ３は、図示しないフィルタガイドに支持されることによって形状を保っている。
【００２８】
送風ファン４は、クロスフローファンであり、その軸方向が水平方向に沿うように配置されている。この送風ファン４は、上方から空気を吸い込んで、下方に吹き出すように構成されている。熱交換器５は、フィルタ３よりも風下側に設けられ、送風ファン４の前方、上方、及び後方を取り囲むように配置されている。この熱交換器５は、ケーシング２内の前側に配置され、送風ファン４の前方及び上方を覆う前面熱交換器５ａと、前面熱交換器５ａよりもケーシング２内の背面側に配置され、送風ファン４の上方及び後方を覆う背面熱交換器５ｂとを有している。図２に示すように、前面熱交換器５ａおよび背面熱交換器５ｂは、上に凸（断面視において逆Ｖ字状）になるように配置されている。
【００２９】
この室内機１では、空調運転時において、送風ファン４が駆動されることによって、室内空気が吸込口２ａから吸い込まれて、吸い込まれた空気は、フィルタ３を通過して空気中に含まれる塵埃が除去されたあと、熱交換器５において加熱または冷却されて、吹出口２ｂから吹き出されるようになっている。
【００３０】
フィルタ清掃機構１０は、フィルタ３を自動的に清掃するフィルタ清掃運転を実行するための機構である。フィルタ清掃機構１０は、フィルタ３に接触するように配置され、フィルタ３に付着した塵埃を除去するブラシ１１（塵埃除去手段）と、ブラシ１１で除去された塵埃を溜めるダストボックス１２とを有している。フィルタ３は、その両端が軸１３と軸１４のそれぞれに巻回されており、軸１３は駆動モータ１５（図４参照）によって回転駆動され、軸１４は駆動モータ１６（図４参照）によって回転駆動される。駆動モータ１５および駆動モータ１６は、それぞれ正逆回転が可能なモータである。軸１３は、ケーシング２内の上方かつ後方に配置され、軸１４は、ケーシング２内の下方かつ前方に配置されている。軸１３および軸１４は、水平方向（左右方向）に沿って延びた回転可能な円柱または円筒形状の軸部材である。
【００３１】
この室内機１では、例えばフィルタ３が軸１３の周囲に巻回された状態で空調運転が行われる。したがって、フィルタ清掃機構１０は、フィルタ清掃運転を実行するとき、軸１３の周囲に巻回されたフィルタ３を軸１４に向かって移動させる。このとき、フィルタ３に接触するブラシ（塵埃除去手段）１１により、フィルタ３から塵埃が除去される。フィルタ清掃運転が行われると、フィルタ３の大部分は軸１４の周囲に巻回された状態となる。したがって、フィルタ清掃運転が終了すると、軸１４の周囲に巻回されたフィルタ３を軸１３に向かって移動させる。
【００３２】
このように、本実施形態の室内機１では、フィルタ清掃運転時に、フィルタ３を軸１３から軸１４に向かって移動させるとともに、フィルタ清掃運転が終了した後、フィルタ３を軸１４から軸１３に向かって移動させる。したがって、フィルタ清掃運転時において、フィルタ３を軸１３から軸１４に向かって移動させるときは、軸１３が本発明の第１軸（送り出し側の軸）となって、軸１４が本発明の第２軸（巻き取り側の軸）となる。また、駆動モータ１５が本発明の第１駆動モータとなって、駆動モータ１６が本発明の第２駆動モータとなる。その後、フィルタ清掃運転が終了した後、フィルタ３を軸１４から軸１３に向かって移動させるときは、軸１４が本発明の第１軸（送り出し側の軸）となって、軸１３が本発明の第２軸（巻き取り側の軸）となる。また、駆動モータ１６が本発明の第１駆動モータとなって、駆動モータ１５が本発明の第２駆動モータとなる。
【００３３】
本実施形態の室内機１は、図示しない制御部を有している。制御部には、軸１３を回転駆動する駆動モータ１５と、軸１４を回転駆動する駆動モータ１６とが接続されている。この制御部は、軸１３の回転速度と軸１４の回転速度が同じになるように、駆動モータ１５および駆動モータ１６を制御する。
【００３４】
この室内機１では、フィルタ３の巻き取り動作開始時において、すなわち、図３（ａ）に示すように、フィルタ３のほとんどが軸１３の周囲に巻回された状態において、軸１３に巻回されるフィルタ３のフィルタ巻回径Ｒａと、軸１４に巻回されるフィルタ３のフィルタ巻回径Ｒｂとが同じとなるように、軸１４の径が、軸１３の径よりも大きくされている。軸１３のフィルタ巻回径Ｒａは、軸１３の軸半径ｒａ１と、軸１３の周囲に巻回されたフィルタ厚さｒａ２との合計である。また、軸１４のフィルタ巻回径Ｒｂは、軸１４の軸半径ｒｂ１と、軸１４の周囲に巻回されたフィルタ厚さｒｂ２との合計である。この状態では、軸１４の周囲には、フィルタ３はほとんど巻回されてないので、軸１４の周囲に巻回されたフィルタ厚さｒｂ２は０である。一方、フィルタ３の巻き取り動作終了時では、図３（ｂ）に示すように、軸１３の周囲には、フィルタ３はほとんど巻回されてないので、軸１３の周囲に巻回されたフィルタ厚さｒａ２は０となる。
【００３５】
したがって、この室内機１では、フィルタ３が軸１３から軸１４に向かって移動する間、常に軸１４のフィルタ巻回径Ｒｂが軸１３のフィルタ巻回径Ｒａよりも大きくなる。その結果、同一時刻における、フィルタ３の所定時間あたりの巻き取り量が、常にフィルタ３の所定時間あたりの送り出し量よりも大きくなるので、フィルタ３が弛むのが防止される。このように、この室内機１では、軸１３、および、軸１３よりも径が大きい軸１４が、フィルタ３が軸１３から軸１４に向かって移動するフィルタ３の巻き取り動作時に、軸１４に巻き取られるフィルタ３の所定時間あたりの長さと、軸１３から送り出されるフィルタ３の所定時間あたりの長さとのズレを補正するズレ補正機構として機能する。なお、本発明において、「所定時間」とは、ある瞬間（短い時間）を指し、フィルタ３の巻き取り動作の開始から終了までに要する時間よりも十分に短い。なお、「所定時間」は、例えば軸１３、軸１４が一回転するのにかかる時間であってもよい。
【００３６】
図４に示すように、軸１３および軸１４は、それぞれ、端部にローラギア１３ａおよびローラギア１４ａを有しており、ローラギア１３ａと駆動モータ１５の駆動ギア１５ａとの間には、クラッチギア（クラッチ機構）１７が配置され、ローラギア１４ａと駆動モータ１６の駆動ギア１６ａとの間には、第２のクラッチギア（第２のクラッチ機構）１８が配置される。駆動モータ１５及び駆動モータ１６と、クラッチギア１７および第２のクラッチギア１８は、フィルタ３が支持されるメインガイド２０の端部に取り付けられている。
【００３７】
クラッチギア１７は、フィルタ３が軸１３から軸１４に向かって移動するフィルタ３の巻き取り動作時において、同一時刻における、フィルタ３の所定時間あたりの巻き取り量が、フィルタ３の所定時間あたりの送り出し量よりも所定以上大きくなって、軸１３のローラギア１３ａからクラッチギア１７にかかる負荷が所定以上となった場合に、ローラギア１３ａとの間、または、駆動モータ１５の駆動ギア１５ａとの間において、噛み外れて、軸１３を空回りさせる。したがって、この室内機１では、同一時刻における、フィルタ３の所定時間あたりの巻き取り量が、フィルタ３の所定時間あたりの送り出し量よりも所定以上大きくなって、フィルタ３がつっぱる場合に、軸１３が空回りするので、軸１３が、軸１４で巻き取られるフィルタ３の巻き取り量と、軸１３から送り出されるフィルタ３の送り出し量と一致する回転数で回転する。その結果、フィルタ３が軸１３から軸１４に向かって移動するフィルタ３の巻き取り動作時において、フィルタ３がつっぱるのが防止される。
【００３８】
また、第２のクラッチギア１８は、フィルタ３が軸１４から軸１３に向かって移動する逆方向へのフィルタ３の巻き取り動作時において、同一時刻における、フィルタ３の所定時間あたりの巻き取り量が、フィルタ３の所定時間あたりの送り出し量よりも所定以上大きくなって、軸１４のローラギア１４ａから第２のクラッチギア１８にかかる負荷が所定以上となった場合に、ローラギア１４ａとの間、または、駆動モータ１６の駆動ギア１６ａとの間において、噛み外れて、軸１４を空回りさせる。したがって、この室内機１では、同一時刻における、フィルタ３の所定時間あたりの巻き取り量が、フィルタ３の所定時間あたりの送り出し量よりも所定以上大きくなって、フィルタ３がつっぱる場合に、軸１４が空回りするので、軸１４が、軸１３で巻き取られるフィルタ３の巻き取り量と、軸１４から送り出されるフィルタ３の送り出し量とが一致する回転数で回転する。その結果、フィルタ３が軸１４から軸１３に向かって移動するフィルタ３の逆方向への巻き取り動作時において、フィルタ３がつっぱるのが防止される。
【００３９】
このように、この室内機１では、フィルタ３の巻き取り動作時では、クラッチギア（クラッチ機構）１７が、軸１４に巻き取られるフィルタ３の所定時間あたりの長さと、軸１３から送り出されるフィルタ３の所定時間あたりの長さとのズレを補正するズレ補正機構として機能する。また、フィルタ３の逆方向への巻き取り動作時では、第２のクラッチギア（第２のクラッチ機構）１８が、軸１３に巻き取られるフィルタ３の所定時間あたりの長さと、軸１４から送り出されるフィルタ３の所定時間あたりの長さとのズレを補正するズレ補正機構として機能する。
【００４０】
［本実施形態の空気調和機の特徴］
本実施形態の室内機（空気調和機）１には、以下の特徴がある。
【００４１】
本実施形態の室内機１では、軸（第１軸）１３から送り出されるフィルタ３の所定時間あたりの送り出し量と、軸（第２軸）１４で巻き取られるフィルタ３の所定時間あたりの巻き取り量とのズレを補正するズレ補正機構を有するので、フィルタ３の巻き取り動作時において、フィルタ３の所定時間あたりの送り出し量と、フィルタ３の所定時間あたりの巻き取り量とのズレを補正できる。
【００４２】
また、本実施形態の室内機１では、軸（第２軸）１４の径が、軸（第１軸）１３の径よりも大きいので、軸１３と軸１４との径が同じである場合に比べて、フィルタ３の巻き取り動作開始時に、フィルタ３が弛むのを抑制できる。
【００４３】
また、本実施形態の室内機１では、フィルタ３の巻き取り動作開始時において、軸（第２軸）１４のフィルタ巻回径Ｒｂが、軸（第１軸）１３のフィルタ巻回径Ｒａと同一またはそれより大きいので、フィルタ３の巻き取り動作開始時に、フィルタ３が弛むのを確実に防止できる。
【００４４】
また、本実施形態の室内機１では、フィルタ３の所定時間あたりの巻き取り量が、フィルタ３の所定時間あたりの送り出し量よりも大きい場合に、クラッチギア（クラッチ機構）１７が軸（第１軸）１３を空回りさせるので、軸１３が、フィルタ３の所定時間あたりの送り出し量が、フィルタ３の所定時間あたりの巻き取り量と一致する速度で回転する。したがって、フィルタ３がつっぱるのを防止できる。
【００４５】
また、本実施形態の室内機１では、軸（第２軸）１４からフィルタ３を送り出し、軸（第１軸）１３がフィルタ３を巻き取る逆方向への巻き取り動作が行われる場合において、軸（第２軸）１４から送り出されるフィルタ３の所定時間あたりの送り出し量が、軸（第１軸）１３で巻き取られるフィルタ３の所定時間あたりの巻き取り量よりも大きい場合に、第２のクラッチギア（クラッチ機構）１８が軸（第２軸）１４を空回りさせるので、軸１４が、フィルタ３の所定時間あたりの送り出し量が、フィルタ３の所定時間あたりの巻き取り量と一致する速度で回転する。したがって、フィルタ３がつっぱるのを防止できる。
【００４６】
以上、本発明の実施の形態について説明したが、本発明の具体的な構成は、上記実施形態に限定されるものでないと考えられるべきである。本発明の範囲は、上記実施形態の説明だけではなく特許請求の範囲によって示され、さらに特許請求の範囲と均等の意味および範囲内でのすべての変更が含まれる。
【００４７】
上述の実施形態では、軸１３の径が、軸１４の径よりも大きい場合について説明したが、軸１４の径が、軸１３の径よりも大きくてもよい。この場合、軸１４から軸１３に向かってフィルタ３が移動する逆方向へのフィルタ３の巻き取り動作時において、すなわち、軸１４が本発明の第１軸、軸１３が本発明の第２軸となる場合において、フィルタ３が弛むのを防止できる。
【００４８】
また、上述の実施形態では、フィルタ３の巻き取り動作開始時において、軸１４のフィルタ巻回径Ｒｂが、軸１３のフィルタ巻回径Ｒａと同一となるように、軸１４の径が軸１３の径よりも大きくされる場合について説明したが、軸１４のフィルタ巻回径Ｒｂが、軸１３のフィルタ巻回径Ｒａより大きくなるように、軸１４の径が軸１３の径よりも大きくされてもよい。この場合であっても、同一時刻における、フィルタ３の所定時間あたりの巻き取り量が、常にフィルタ３の所定時間あたりの送り出し量よりも大きくなるので、フィルタ３が弛むのが確実に防止される。
【００４９】
また、上述の実施形態では、フィルタ３の巻き取り動作開始時において、軸１４のフィルタ巻回径Ｒｂが、軸１３のフィルタ巻回径Ｒａと同一となるように、軸１４の径が軸１３の径よりも大きくされる場合について説明したが、軸１４の径が軸１３の径よりも大きいのであれば、軸１４のフィルタ巻回径Ｒｂが、軸１３のフィルタ巻回径Ｒａよりも小さくてもよい。この場合であっても、軸１３と軸１４との径が同じである場合に比べて、フィルタ３の巻き取り動作開始時に、フィルタ３が弛むのを抑制できる。
【００５０】
また、上述の実施形態では、軸１３から軸１４に向かってフィルタ３が移動するフィルタ３の巻き取り動作が行われる場合において、フィルタ３のつっぱりを防止するクラッチギア（クラッチ機構）１７が、軸１３と駆動モータ１５との間に配置される場合について説明したが、クラッチギア１７は、軸１４と駆動モータ１６との間に配置されてもよい。また、上述の実施形態では、軸１４から軸１３に向かってフィルタ３が移動する逆方向へのフィルタ３の巻き取り動作が行われる場合において、フィルタ３のつっぱりを防止する第２のクラッチギア（クラッチ機構）１８が、軸１４と駆動モータ１６との間に配置される場合について説明したが、第２のクラッチギア１８は、軸１３と駆動モータ１５との間に配置されてもよい。
【００５１】
また、上述の実施形態では、クラッチギア１７および第２のクラッチギア１８が配置される場合について説明したが、いずれか一方のみが配置されてもよいし、軸１３の径が軸１４の径よりも大きくされるのであれば、クラッチギア１７および第２のクラッチギア１８がなくてもよい。また、クラッチギア１７および第２のクラッチギア１８のいずれか一方が配置されるのであれば、軸１３の径と軸１４の径が同じであってもよい。
【００５２】
また、上述の実施形態では、第２軸に巻き取られるフィルタの所定時間あたりの長さが、第１軸から送り出されるフィルタの所定時間あたりの長さよりも所定以上大きい場合に、クラッチギアが噛み外れる場合について説明したが、ここでいう「所定」とは、適宜設計されるものであり、第２軸に巻き取られるフィルタの所定時間あたりの長さが、第１軸から送り出されるフィルタの所定時間あたりの長さよりも、大きくなると同時に噛み外れてもよい。
【産業上の利用可能性】
【００５３】
本発明を利用すれば、フィルタの所定時間あたりの送り出し量と、フィルタの所定時間あたりの巻き取り量とのズレを補正できる。
【符号の説明】
【００５４】
１  室内機（空気調和機）
２  ケーシング
３  フィルタ
２ａ  吸込口
１１  ブラシ（塵埃除去手段）
１３、１４  軸（第１軸、第２軸、ズレ補正機構）
１５、１６  駆動モータ（第１駆動モータ、第２駆動モータ）
１７  クラッチギア（クラッチ機構、ズレ補正機構）
１８  第２のクラッチギア（第２のクラッチ機構、ズレ補正機構）
【図１】
2016125708.tif 000003
【図２】
2016125708.tif 000004
【図３】
2016125708.tif 000005
【図４】
2016125708.tif 000006